(57)【要約】【課題】着用者の汗が背中を伝って流れることを抑制する。【解決手段】医療用ガウン１は、前面部２と、背面部３と、一対の袖部４と、吸収部材５とを備える。前面部２は、着用者の前面を覆う。背面部３は、着用者の背面を覆う。一対の袖部４は、前面部２および背面部３の左右方向の両側に繋がる。一対の袖部４には、着用者の両腕が挿入される。吸収部材５は、背面部３の上端部の内面に固定される。これにより、着用者の汗が背中を伝って流れることを抑制することができる。【選択図】図１
2018150651.tif 000002
【特許請求の範囲】
【請求項１】
医療用ガウンであって、
着用者の前面を覆う前面部と、
前記着用者の背面を覆う背面部と、
前記前面部および前記背面部の左右方向の両側に繋がり、前記着用者の両腕が挿入される一対の袖部と、
前記背面部の上端部の内面に固定される吸収部材と、
を備えることを特徴とする医療用ガウン。
【請求項２】
請求項１に記載の医療用ガウンであって、
前記吸収部材が、前記背面部の前記上端部の全幅に亘って設けられることを特徴とする医療用ガウン。
【請求項３】
請求項２に記載の医療用ガウンであって、
前記吸収部材が、前記前面部の上端部の内面にも広がり、前記前面部の前記上端部の全幅に亘って設けられることを特徴とする医療用ガウン。
【請求項４】
請求項３に記載の医療用ガウンであって、
前記吸収部材のうち前記背面部と重なる部位の上下方向の長さが、前記吸収部材のうち前記前面部と重なる部位の上下方向の長さよりも長いことを特徴とする医療用ガウン。
【請求項５】
請求項１ないし４のいずれか１つに記載の医療用ガウンであって、
前記吸収部材が、
積層される複数の不織布層と、
前記複数の不織布層の間に固定される粒状または繊維状の高吸収性材料と、
を備えることを特徴とする医療用ガウン。
【発明の詳細な説明】
【技術分野】
【０００１】
本発明は、医療用ガウンに関する。
【背景技術】
【０００２】
従来、外科手術等の際には、手術に携わる医師および看護師等の医療者は、滅菌された医療用ガウンを着用する（特許文献１参照）。医療者が医療用ガウンを着用することにより、易感染状態の患者を感染源から守り、また、患者の血液や体液等が医療者の肌に付着することを防止することができる。特許文献２の手術用外衣では、手術中に医師の顔付近から出た汗を吸収するために、前身頃の襟ぐりの内側に、不織布により形成された吸収シートが設けられている。
【先行技術文献】
【特許文献】
【０００３】
【特許文献１】特開２０１４−１６３０２２号公報
【特許文献２】特開２００２−２２０７１２号公報
【発明の概要】
【発明が解決しようとする課題】
【０００４】
ところで、実際に手術等が行われる際には、医療者は鼻部および口部を覆うマスクを着用している。このため、呼気がマスクの内面に沿って首側面から背面へと回り、医療者の背中の体温が上昇して背中に汗をかくことがある。また、精神的発汗や他の要因によっても医療者が背中に汗をかくことがある。このような汗が背中を伝って下方に流れると、医療者が不快感を感じるおそれがある。
【０００５】
本発明は、上記課題に鑑みなされたものであり、着用者の汗が背中を伝って流れることを抑制することを目的としている。
【課題を解決するための手段】
【０００６】
請求項１に記載の発明は、医療用ガウンであって、着用者の前面を覆う前面部と、前記着用者の背面を覆う背面部と、前記前面部および前記背面部の左右方向の両側に繋がり、前記着用者の両腕が挿入される一対の袖部と、前記背面部の上端部の内面に固定される吸収部材とを備える。
【０００７】
請求項２に記載の発明は、請求項１に記載の医療用ガウンであって、前記吸収部材が、前記背面部の前記上端部の全幅に亘って設けられる。
【０００８】
請求項３に記載の発明は、請求項２に記載の医療用ガウンであって、前記吸収部材が、前記前面部の上端部の内面にも広がり、前記前面部の前記上端部の全幅に亘って設けられる。
【０００９】
請求項４に記載の発明は、請求項３に記載の医療用ガウンであって、前記吸収部材のうち前記背面部と重なる部位の上下方向の長さが、前記吸収部材のうち前記前面部と重なる部位の上下方向の長さよりも長い。
【００１０】
請求項５に記載の発明は、請求項１ないし４のいずれか１つに記載の医療用ガウンであって、前記吸収部材が、積層される複数の不織布層と、前記複数の不織布層の間に固定される粒状または繊維状の高吸収性材料とを備える。
【発明の効果】
【００１１】
本発明では、着用者の汗が背中を伝って流れることを抑制することができる。
【図面の簡単な説明】
【００１２】
【図１】一の実施の形態に係る医療用ガウンを広げた状態で示す図である。
【図２】着用者が着用した状態の医療用ガウンの正面図である。
【図３】着用者が着用した状態の医療用ガウンの背面図である。
【図４】背面吸収部の縦断面図である。
【発明を実施するための形態】
【００１３】
図１は、本発明の一の実施の形態に係る医療用ガウン１を示す図である。医療用ガウン１は、外科手術等の際に医師および看護師等が着用する使い捨てのガウンである。図１は、着用前の医療用ガウン１を広げた状態で示す正面図である。図１では、医療用ガウン１の着用者に接する内面とは反対側の外面を手前にして医療用ガウン１を描いている。図２は、着用者が着用した状態の医療用ガウン１の前面側を示す正面図である。図３は、着用者が着用した状態の医療用ガウン１の背面側を示す背面図である。
【００１４】
医療用ガウン１は、着用者の後側で左右の部位を閉じる後閉じタイプのガウンである。医療用ガウン１は、前面部２と、背面部３と、一対の袖部４とを備える。前面部２は、着用者の前面を覆う。背面部３は、着用者の背面を覆う。一対の袖部４は、前面部２および背面部３の左右方向の両側に繋がる筒状の部位である。一対の袖部４には、着用者の両腕が挿入される。各袖部４は、着用者の腕のうち肩部から手首に至る部位を覆う。袖部４の先端部は、少なくとも周方向において伸縮性を有しており、着用者の手首に密着する。医療者は、医療用ガウン１を着用した後、医療用手袋６および医療用マスク７を装着する。図２に示す例では、医療用マスク７は医療用ガウン１とは接続されていないが、医療用マスク７は医療用ガウン１の喉元の部位から連続していてもよい。
【００１５】
前面部２は、連続する１枚のシート状の部位である。前面部２は、着用者の喉元（すなわち、首と胸部との間の部位）、胸部、腹部、腰部前面および両脚の前面を覆う。図２に示す例では、前面部２は、着用者の喉元の略全体、胸部の略全体、腹部の略全体、腰部前面の略全体、および、両脚の前面のうち脚の付け根部から膝下に至る部位を覆う。
【００１６】
背面部３は、内背面部３１と、外背面部３２とを備える。内背面部３１は、前面部２の左右方向の一方側から着用者の背面に広がり、着用者の背面を覆う。外背面部３２は、前面部２の左右方向の他方側から着用者の背面に広がる。換言すれば、外背面部３２は、前面部２の左右両側の端部のうち、内背面部３１が繋がる側とは反対側に繋がる。外背面部３２は、内背面部３１の後側にて内背面部３１に重なるとともに着用者の背面を覆う。図１に示す例では、内背面部３１は、着用者の左側（図１中の右側）において前面部２に繋がり、外背面部３２は、着用者の右側において前面部２に繋がる。
【００１７】
背面部３は、着用者の背部（すなわち、背中）、腰部背面（臀部を含む。）および両脚の背面を覆う。具体的には、背面部３は、着用者の背部の略全体、腰部背面の略全体、および、両脚の背面のうち脚の付け根部から膝下に至る部位を覆う。
【００１８】
図１ないし図３において平行斜線を付して示すように、医療用ガウン１は、吸収部材５をさらに備える。吸収部材５は、医療用ガウン１の前面部２の上端部、および、背面部３の上端部において、医療用ガウン１の内面（すなわち、着用者に接する肌面）に固定される。吸収部材５は、例えば接着剤により、医療用ガウン１に固定される。前面部２および背面部３の上端部とは、前面部２および背面部３のうち、着用者に着用された際に上側に位置する端部であり、着用者の頭部に近い方の端部である。
【００１９】
吸収部材５は、背面部３の上端部において左右方向の全幅に亘って設けられる。また、吸収部材５は、前面部２の上端部において左右方向の全幅に亘って設けられる。換言すれば、吸収部材５は、背面部３の上端部から前面部２の上端部の内面にも広がり、着用者の首の周囲の全周に亘って設けられる。着用者の首の周囲において、吸収部材５の上端縁は、前面部２および背面部３の上端縁よりも少し下方に位置する。
【００２０】
図１ないし図３に示す例では、吸収部材５のうち背面部３と重なる部位（以下、「背面吸収部５１」と呼ぶ。）の上下方向の長さは、吸収部材５のうち前面部２と重なる部位（以下、「前面吸収部５２」と呼ぶ。）の上下方向の長さよりも長い。したがって、背面吸収部５１の下端縁は、前面吸収部５２の下端縁よりも下側に位置する。換言すれば、背面吸収部５１の下端縁は、前面吸収部５２の下端縁よりも、着用者の頭部から上下方向に離れている。前面吸収部５２の上下方向の長さは、２ｃｍ以上かつ２０ｃｍ以下であることが好ましい。背面吸収部５１の上下方向の長さは、２ｃｍ以上かつ４０ｃｍ以下であることが好ましい。
【００２１】
図４は、吸収部材５の背面吸収部５１の縦断面図である。前面吸収部５２の縦断面も図４と略同様である。吸収部材５は、複数の不織布層５３と、高吸収性材料５４とを備える。高吸収性材料５４は、粒状の高吸収性材料（ＳＡＰ（Super Absorbent Polymer））、または、繊維状の高吸収性材料（ＳＡＦ（Super Absorbent Fiber））である。粒状または繊維状の高吸収性材料５４は、複数の不織布層５３の間に固定される。
【００２２】
図４に示す例では、略同形状の２枚の不織布層５３が積層され、当該２枚の不織布層５３の間に粒状の高吸収性材料５４が固定される。図４では、高吸収性材料５４を実際よりも大きく描いている。２枚の不織布層５３は、外周縁の全周に亘って互いに接合される。不織布層５３同士の接合は、例えば、接着剤または熱圧着により行われる。高吸収性材料５４は、例えば、接着剤を介して不織布層５３に固定される。着用者が医療用ガウン１を着用した状態では、２枚の不織布層５３は、前後方向に重なる。
【００２３】
不織布層５３は、透液性の不織布により形成される。不織布層５３は、好ましくは、高い通気性を有する。不織布層５３は、例えば、表面を界面活性剤により親水処理した疎水性繊維（ポリプロピレン、ポリエチレン、ポリエステル、ポリアミド、ナイロン等）にて形成された不織布（ポイントボンド不織布、エアスルー不織布、スパンボンド不織布等）により形成される。なお、不織布層５３は、セルロースやレーヨン、コットン等の親水性繊維により形成された不織布（例えば、スパンレース不織布）により形成されてもよい。
【００２４】
吸収部材５は、着用者に接して、着用者からの汗を吸収する。詳細には、着用者からの汗は、着用者に対向する不織布層５３により捕捉されて高吸収性材料５４の層へと送られる。高吸収性材料５４の層は、不織布層５３を透過した汗を吸収して膨潤することにより、汗を吸収部材５の内部に固定して保持する。これにより、吸収部材５に吸収された汗が、吸収部材５から外部へと流出することが抑制される。
【００２５】
以上に説明したように、医療用ガウン１は、前面部２と、背面部３と、一対の袖部４と、吸収部材５とを備える。前面部２は、着用者の前面を覆う。背面部３は、着用者の背面を覆う。一対の袖部４は、前面部２および背面部３の左右方向の両側に繋がる。一対の袖部４には、着用者の両腕が挿入される。吸収部材５は、背面部３の上端部の内面に固定される。これにより、着用者の背中の汗を吸収部材５により吸収することができる。その結果、着用者の汗が背中を伝って流れることを抑制し、背中を流れる汗による着用者の不快感を抑制することができる。
【００２６】
上述のように、吸収部材５は、背面部３の上端部の全幅に亘って設けられる。これにより、着用者の背中の広い範囲において、吸収部材５により汗を吸収することができる。その結果、着用者の汗が背中を伝って流れることを、より一層抑制することができる。
【００２７】
また、吸収部材５は、前面部２の上端部の内面にも広がり、前面部２の上端部の全幅に亘って設けられる。これにより、着用者の首および頭部からの汗が、医療用ガウン１と着用者との間に流入することを防止することができる。その結果、着用者の汗が背中および胸部を伝って流れることを抑制することができる。
【００２８】
上述のように、吸収部材５のうち背面部３と重なる部位（すなわち、背面吸収部５１）の上下方向の長さは、吸収部材５のうち前面部２と重なる部位（すなわち、前面吸収部５２）の上下方向の長さよりも長い。これにより、胸部よりも多量の汗をかく可能性が高い背中において、吸収部材５の吸収量を増大させることができる。その結果、着用者の汗が背中および胸部を伝って流れることを好適に抑制することができる。
【００２９】
吸収部材５は、積層される複数の不織布層５３と、粒状または繊維状の高吸収性材料５４とを備える。高吸収性材料５４は、当該複数の不織布層５３の間に固定される。これにより、吸収部材５は、着用者から速やかに汗を吸収し、かつ、多量の汗を保持することができる。また、吸収部材５の表面が不織布により形成されるため、吸収部材５の肌触りを良くすることができる。
【００３０】
上述の医療用ガウン１では、様々な変更が可能である。
【００３１】
例えば、背面吸収部５１の上下方向の長さと、前面吸収部５２の上下方向の長さとは略同じであってもよい。あるいは、前面吸収部５２の上下方向の長さは、背面吸収部５１の上下方向の長さよりも長くてもよい。
【００３２】
吸収部材５は、前面部２の上端部において、左右方向の一部のみに設けられてもよい。また、吸収部材５は、前面部２には設けられず、背面部３のみに設けられてもよい。吸収部材５は、背面部３の上端部において、左右方向の一部のみに設けられてもよい。
【００３３】
吸収部材５の構造は様々に変更されてよい。例えば、吸収部材５から高吸収性材料５４が省略され、複数の不織布層５３の積層体が吸収部材５として利用されてもよい。
【００３４】
上述の吸収部材５は、着用者の前側で左右の部位を閉じる前閉じタイプの医療用ガウンに設けられてもよい。当該医療用ガウンは、例えば、連続する１枚のシート状の背面部と、当該背面部の左右両側から着用者の前面に広がる前面部（すなわち、着用者の前面にて互いに固定される内前面部および外前面部）と、前面部および背面部の左右方向の両側に繋がる一対の袖部とを備える。この場合であっても、背面部の上端部の内面に固定される吸収部材５が設けられることにより、着用者の汗が背中を伝って流れることを抑制することができる。
【００３５】
上記実施の形態および各変形例における構成は、相互に矛盾しない限り適宜組み合わされてよい。
【符号の説明】
【００３６】
１    医療用ガウン
２    前面部
３    背面部
４    袖部
５    吸収部材
５１    背面吸収部
５２    前面吸収部
５３    不織布層
５４    高吸収性材料
【図１】
2018150651.tif 000003
【図２】
2018150651.tif 000004
【図３】
2018150651.tif 000005
【図４】
2018150651.tif 000006